(57)【特許請求の範囲】
【請求項１】
平坦な板材で形成され一端から中心部へ向かってＶ字状に先窄まりしていく開口部を有するとともに、該開口部の奥部に被結束材収容部を形成し、該開口部を形成する一対の脚部を交差させることによって被結束材を結束する結束用クリップにおいて、前記開口部の奥部に設けられた被結束材収容部を、その最奥部を頂点とした略三角形状に形成し、該開口部から被結束材収容部の連接部には、前記両脚部の内側で開口部を形成する開口辺と前記略三角形の被結束材収容部の底辺を構成する抑え辺とにより係止突起を膨出形成し、脚部交差時に前記係止突起を重合させて、前記係止突起の内側を前記両側の抑え辺と係止突起の先端とにより該先端を頂点とした「く」の字形状をなして前記被結束材収容部内方へ突出させることを特徴とする結束用クリップ。
【発明の詳細な説明】
【０００１】
【発明の属する技術分野】
本発明は、袋、ネット等の包装容器の口部を結束して口止めする結束用クリップに関するものである。
【０００２】
【従来技術及び発明が解決しようとする課題】
従来、この種結束用クリップとしては、出願人が提案した特許２６８４９３７号に開示した結束用クリップ１が知られている。この結束用クリップは、図４に示すように、樹脂製の平坦な薄い板材で形成され、一端部から結束用クリップの中心部へ向かって開口部２を有し、該開口部の奥部の結束用クリップの中央部に袋、ネット等を収容する被結束材収容部３を連接している。そして、該開口部を挟んで一対の脚部４，５が形成され、両脚部先端部には鍵状の係止部６，７が形成されている。
【０００３】
この結束用クリップで被結束材９を結束するには、被結束材収容部３へ被結束材を収容し、該両脚部６，７を互いに交差させて、被結束材収用部３を頂点とした円錐形状を形成させることで、該被結束材収容部３が縮径させることにより、被結束材９に圧縮方向への保持力を作用させ、この状態で、両脚部の先端に形成された互いの係止部６，７を係合させることにより、被結束材９を圧縮・縮径した状態で保持して、図６に示したように結束を完了するものである。
【０００４】
ところで、上記結束用クリップにおいて、ポリ袋、ネット等の弾性材を結束する場合、図５に示したように、これら被結束材９は、結束後に結束部の外径方向へ復元しようとする力が作用して、その力は、脚部４，５の交差部８へ集中して該交差部を押し拡げる方向へ作用し、よって、ポリ袋、ネット等が交差部８へ進入し、すなわち、結束材収容部３から、Ａ方向へはみ出てしまい、結束保持力が低下してしまうといった問題があった。また、被結束材９がはみ出ることによる見栄えの悪さからくる商品力の低下といった問題もあった。
【０００５】
そこで、本発明はこのような実情に鑑みて提案されたものであり、ポリ袋、ネット等の弾性材を結束する場合でも、これら被結束材を確実に保持して結束することができる結束用クリップを提供することを課題とするものである。
【０００６】
【課題を解決するための手段】
請求項１の発明は、平坦な板材で形成され一端から中心部へ向かってＶ字状に先窄まりしていく開口部を有するとともに、該開口部の奥部に被結束材収容部を形成し、該開口部を形成する一対の脚部を交差させることによって被結束材を結束する結束用クリップにおいて、前記開口部の奥部に設けられた被結束材収容部を、その最奥部を頂点とした略三角形状に形成し、該開口部から被結束材収容部の連接部には、前記両脚部の内側で開口部を形成する開口辺と前記略三角形の被結束材収容部の底辺を構成する抑え辺とにより係止突起を膨出形成し、脚部交差時に前記係止突起を重合させて、前記係止突起の内側を前記両側の抑え辺と係止突起の先端とにより該先端を頂点とした「く」の字形状をなして前記被結束材収容部内方へ突出させることを特徴とする。
【０００７】
【発明の効果】
本発明の結束用クリップは、結束用クリップの、開口部から被結束材収容部の連接部に一対の係止突起を形成し、係止突起は脚部交差時に重合し、かつ、被結束材収容部内方へ突出する構成としたため、ポリ袋、ネット等の結束時、脚部交差部方向へはみ出そうとする力を係止突起によって２方向へ振り分けることができるから、脚部交差部方向への該結束材はみ出しを防止することができる。
【０００８】
また、ポリ袋、ネット等が拡がろうとする力は、前記被結束材収容部及び係止突起によって支持されるために、拡がろうとするポリ袋、ネット等に係止突起が押しつけられ、そして、係止突起の先端重合部は、ポリ袋、ネット等へ食い込む形で保持するため強い結束力が得られる。
【０００９】
さらに、被結束材収容部が開口部の最奥部を頂点とした略三角形に形成されているために、最奥部を頂点とした２辺で形成されたテーパー部が、拡がろうとするポリ袋、ネット等を係止突起方向へ押しつける作用をするため、強い結束力が得られる。
【００１０】
【発明の実施の形態】
以下、本発明の一実施例を説明する。 図１に示すように、本発明の結束用クリップは、樹脂製の平坦な薄い板材で形成され、一端部から結束用クリップの中心部へ向かってＶ字状に先窄まりしていく開口部１０を有し、該開口部の奥部の結束用クリップの中央部に袋、ネット等を収容する略三角形状の被結束材収容部１１を連接している。
【００１１】
被結束材収容部１１は、最奥部の頂点２３から、約９０°の角度で形成された収容辺２０ａ、２０ｂに挟まれ形成されている。そして、前記収容辺２０ａ、２０ｂに連接して、結束用クリップ長手方向軸線と直角に交差した抑え辺１９ａ，１９ｂが形成され、収容辺、抑え辺とも、各対となる辺同士でくの字形状で形成されている。
【００１２】
そして、該開口部１０を挟んで一対の脚部１２ａ，１２ｂが形成され、両脚部先端部には鍵状の係止部１４ａ，１４ｂが形成されている。
【００１３】
開口部１０には、開口辺１０ａ、１０ｂが形成され、開口辺１０ａ、１０ｂと抑え辺１８ａ，１８ｂとの連接部１６ａ，１６ｂには一対の係止突起１８ａ，１８ｂが形成されている。
【００１４】
次に、上記構成からなる結束用クリップでの作用について説明する。
【００１５】
まず、被結束材９を結束用クリップ１’の開口部１０から被結束材収容部１１へ向けて挿入する。開口部１０には、開口辺１０ａ，１０ｂが中心へ向かって先窄まりで形成されているため、スムーズに被結束材を挿入することができる。さらに被結束材９を挿入していくと、係止突起１８ａ，１８ｂを弾性変形させて通過させた後、被結束材収容部１１へ収容される。
【００１６】
被結束材９が、被結束材収容部１１へ収容された後は、抑え辺１９ａ，１９ｂが逆止の作用をして被結束材９を被結束材収容部１１内へ保持している。この状態で、図２にあるように、両脚部１２ａ，１２ｂを交差させる。すると、図６に見られるように結束材収容部１１を頂点として下方向へ拡がった円錐形状を施して被結束材９を結束する。この状態を保持させる手段としては、図２及び図４で示したように、係止部１４ａ，１４ｂ（６，７）を互いに引っかけて係止させても良いし、機械的な手段、例えば両脚部の交差部を熱溶着等による接着や、プレス等によるカシメ、又はホチキス等によるステープル止めなどの手段で保持させても良い。
【００１７】
上記手段にて、両脚部１２ａ，１２ｂを交差状に保持した状態での被結束材収容部１１の形状は、図２に見られるとおり、係止突起１８ａ、１８ｂが重合した状態となり、該係止突起の重合部を頂点とした「く」の字形状に被結束材収容部１１内へ突出し、かつ、頂点２３を始点とした収容辺２０ａ、２０ｂの角度は鋭角となり、被結束材収容部１１の面積を減少させている。
【００１８】
この状態において、被結束材９は、図３に見られるとおり、収容辺２０ａ、２０ｂに挟まれ、該収容辺に案内されることで開口部１０方向へ押し出されるが、下方には係止突起１８ａ、１８ｂを頂点とした抑え辺１９ａ，１９ｂがあるため、各辺に挟まれた被結束材９にｂ、ｂ’方向へと２分された力が作用し、逃げ部２１ａ，２１ｂの２方向へ膨出しながら押し出され、結束される。よって、圧縮された被結束材９のエネルギーは上述したとおり２分化されると同時に、抑え辺１９ａ，１９ｂに押しつけられているために、結束用クリップを押し拡げることはない。
【００１９】
さらに、係止突起１８ａ，１８ｂが圧縮された被結束材９に食い込むため、さらに結束力が高くなる。
【００２０】
本発明の結束用クリップ１’は、上述したとおり、結束用クリップ単品として使用される実施形態について詳述したが、図７に示したように結束用クリップの両脚部の先端部と他の結束用クリップの両脚部上端の両肩部を連結部２４ａ、２４ｂにて連結し、これが多数個連結された状態で使用されても良い。
【００２１】
上記、多数個連結された結束用クリップは、ロール状に巻回されて、５００個から２０００個のクリップ集合体を形成し、このクリップ集合体を図示しない結束機本体へ装填して結束作業を行うことで、連続して迅速な結束作業を行うことができる。
【図面の簡単な説明】
【図１】  本発明に係る結束用クリップの平面図
【図２】  本発明に係る結束用クリップの脚部を交差させた状態の平面図
【図３】  図２における被結束材収容部の拡大図
【図４】    従来の結束用クリップの脚部を交差させた状態の平面図
【図５】  従来の結束用クリップの被結束材収容部の拡大図
【図６】  結束用クリップで被結束材を結束した状態をしめす側面図
【図７】  結束用クリップを連結させた状態の平面図
【符号の説明】
１    従来の結束用クリップ
１’  結束用クリップ
９              被結束材
１０            開口部
１１            被結束材収容部
１２ａ、１２ｂ  脚部
１４ａ、１４ｂ  係止部
１６ａ、１６ｂ  連接部
１８ａ、１８ｂ  係止突起
２０ａ、２０ｂ  収容辺
１９ａ、１９ｂ  抑え辺
２３            頂点
【図１】
0003674395.tif 000002
【図２】
0003674395.tif 000003
【図３】
0003674395.tif 000004
【図４】
0003674395.tif 000005
【図５】
0003674395.tif 000006
【図６】
0003674395.tif 000007
【図７】
0003674395.tif 000008